(57)【要約】      （修正有）【課題】小型軽量で凹面鏡または凸面鏡を提供する手鏡を提供する。【解決手段】手鏡は、曲率変化が可能な鏡面シート１０５と、鏡面シート１０５が変形可能な空間１０７ａ，１０７ｂと、外気に連通可能な空間とを形成する外装ケース１０１と、外気に連通可能な空間の圧力を制御するための手段１０３とを備えている。外装ケース１０１は、鏡面シート１０５に対応する位置の両面側に配置された透明板１０２を備えていて、外気に連通可能な空間の圧力を制御するための手段１０３は、圧力を増加させる場合に圧力を逃がす手段１０４を備えている。【選択図】図４
2014004125.tif 000002
【特許請求の範囲】
【請求項１】
曲率変化が可能な鏡面シートと、
前記鏡面シートが変形可能な空間と、外気に連通可能な空間とを形成する外装ケースと、
前記外気に連通可能な空間の圧力を制御するための手段と
を備える手鏡。
【請求項２】
前記外装ケースは、前記鏡面シートに対応する位置の両面側に配置された透明板を備える、請求項１に記載の手鏡。
【請求項３】
前記外気に連通可能な空間の圧力を制御するための手段は、外気に連通する小孔を備えるゴム玉を備える、請求項１または２に記載の手鏡。
【請求項４】
一方向からみたときに凸面鏡であり、裏返してみたときに凹面鏡となる、請求項１〜３のいずれか１項に記載の手鏡。
【請求項５】
前記外気に連通可能な空間の圧力を制御するための手段は、圧力を増加させる場合に圧力を逃がす手段を備える、請求項１〜４のいずれか１項に記載の手鏡。
【発明の詳細な説明】
【技術分野】
【０００１】
本発明は、手鏡に関し、より詳細には、小型・軽量で平面鏡、凹面鏡および凸面鏡を提供する手鏡に関する。
【背景技術】
【０００２】
手鏡は、これまでも数多く知られており、身だしなみを整えたり、確かめたりするために、ポーチやハンドバッグなどに入れて携行されている。一般的に鏡は、ガラス面に銀などを蒸着またはメッキすることで作られる。しかしながらガラスは、破損しやすくまた取り扱いに注意しなければならないという問題がある。また、一度作った鏡は、その形状が変えられないので、凹面鏡、凸面鏡、平面鏡などその形状的な特性が決められてしまうという問題もある。
【０００３】
その点、反射要素を、例えばプラスチックフィルムに銀・アルミニウム反射特性において着色のない金属・金属酸化物などを片面蒸着や両面蒸着して形成する鏡面シートは、その形状がフレキシブルなため、自由に形状を与えることができ、また取り扱い性も優れ、また安全性も高いという利点がある。しかしながら、反射コーティングを施したプラスチックフィルムは柔軟なので、その形状は、簡単に平面、凹面、凸面に変形してしまうというデメリットがある。このため、形状の柔軟性は、プラスチックフィルムの形状を、所定の目的を達成する間、固定しておかなければならないという別の要求も生じる。
【０００４】
反射製のプラスチックフィルムを使用した鏡は、これまでも知られており、例えば、特開２０１０−１８３９９５号（特許文献１）には、平面鏡、凹面鏡又は凸面鏡に変化させることができる性能の優れた鏡を提供にすることを解決課題とし、曲率変化が可能な鏡面シートと、該鏡面シートを気密又は液密状態で保持するケース本体とからなり、該ケース本体の気密又は液密状態の圧力を、前記鏡面シートとは非接触で操作して該鏡面の曲率を変化させる鏡が記載されている。
【０００５】
特許文献１の鏡も平面鏡、凹面鏡、凸面鏡を柔軟に構成させることはできる。しかしながら、気密、液密状態の圧力を制御するために外界から完全にケース本体を分離させなければならず、またそのためにピストンを使用しなければならないなど部品点数が増加し、また圧力を一定に保つための機能を追加しなければならないので、部品点数が増加し、この結果サイズ、重量、およびコストが増加するという問題点があった。
【０００６】
以上のように、反射性コーティングを施したプラスチックフィルムを反射要素として使用する手鏡は、凹面、凸面、または平面というようにその反射性能を手軽に変えることができるが、プラスチックフィルムを安定して固定するためには、追加の部材が必要となる。プラスチックフィルムの形状柔軟性を生かしながら鏡として機能させる際に、部品点数が増加すると、部品点数の増加により却って小型化・軽量化といった利点を失わせてしてしまうことにもなっていた。
【先行技術文献】
【特許文献】
【０００７】
【特許文献１】特開２０１０−１８３９９５号公報
【発明の概要】
【発明が解決しようとする課題】
【０００８】
本発明は、上記従来技術の問題点を解決し、プラスチックフィルム製の反射要素である鏡面シートを使用した、小型軽量で部品点数が少なく、安定した平面鏡、凸面鏡および凹面鏡として提供可能な手鏡を提供することを目的とする。
【課題を解決するための手段】
【０００９】
本発明によれば、
曲率変化が可能な鏡面シートと、
前記鏡面シートが変形可能な空間と、外気に連通可能な空間とを形成する外装ケースと、
前記外気に連通可能な空間の圧力を制御するための手段と
を備える手鏡が提供される。
【００１０】
本発明の前記外装ケースは、前記鏡面シートに対応する位置の両面側に配置された透明板を備えることができ、前記外気に連通可能な空間の圧力を制御するための手段は、外気に連通する小孔を備えるゴム玉を備えることができる。
【００１１】
本発明では、一方向からみたときに凹面鏡であり、裏返してみたときに凸面鏡となることができ、前記外気に連通可能な空間の圧力を制御するための手段は、圧力を増加させる場合に圧力を逃がす手段を備えることができる。
【発明の効果】
【００１２】
本発明によれば、プラスチックフィルム製の反射要素を使用した、小型軽量で部品点数が少なく、安定した平面鏡、凸面鏡および凹面鏡として提供可能な手鏡を提供することができる。
【図面の簡単な説明】
【００１３】
【図１】本実施形態の手鏡１００の斜視図。
【図２】図１に示した手鏡１００の図１矢線Ａの方向からの平面図（ａ）および側面図（ｂ）。
【図３】本実施形態の手鏡の外装ケース１０１内部の構成を説明するための切断線Ａ−ＡおよびＢ−Ｂの位置を示した図。
【図４】図３の切断線Ａ−Ａに沿った手鏡の断面図。
【図５】図４の矩形枠１１０に相当する部分の拡大断面図。
【図６】本実施形態の手鏡の使用態様を説明する図。
【発明を実施するための形態】
【００１４】
以下、本発明につき実施形態を持って説明するが、本発明は、後述する実施形態に限定されるものではない。図１は、本実施形態の手鏡１００の斜視図である。手鏡１００は、両側から鏡面シートを固定するように嵌合した外装ケース１０１と、外装ケース１０１の一部に透明領域を形成するための透明板１０２とを含んで構成されている。透明板１０２に対応した外装ケース１０１の内側部分には、概ね円形の鏡面シートがＯ−リング（不図示）などにより挟持されていて、透明板１０２を通して鏡面シートが鏡の機能を提供している。
【００１５】
外装ケース１０１には、対応する両側の位置に透明板１０２が配置されていて、両面が鏡として機能することが可能とされている。外装ケース１０１の一方側の図中下側には、円形の開口１０３ａが設けられており、開口１０３ａ内には、外装ケース１０１内に収容された中空のゴム玉１０３が収容されている。また、ゴム玉１０３の外部に面した一方側で、その概ね中央部には、小孔１０４が形成されていて、ユーザがゴム玉１０３を押すと、指先で閉じられて、ゴム玉１０３内の空気を、外側ケース内部の鏡面シートを挟持した一方の側に送り、鏡面シートを低圧側に湾曲させルことが可能とされている。
【００１６】
説明した実施形態では、透明板１０２は、外装ケース１０１の両側に形成されているので、ユーザがゴム玉１０３を潰すだけで表面を凸面鏡、裏面を凹面鏡として機能させることができる。このため、ユーザは、表側を使うか裏をつかうか裏返すだけで、同一の操作で、凸面鏡および凹面鏡を構成させることができる。また、ゴム玉１０３の外装ケース１０１の内部側は、外装ケースに形成された内側壁に固定されているので、ユーザがゴム玉１０３を、例えば親指と人差し指の間に挟んで、潰す動作だけで略定量的に鏡面シートを湾曲させることが可能となる。
【００１７】
図２は、図１に示した手鏡１００の背面構造を示す目的で、図1の矢線Ａから手鏡１００の平面図（ａ）および側面図（ｂ）を示す。図１の正面からみたとき、正面に向かって凸面鏡となっている場合、図１の矢線Ａの側からみた図２の実施形態では、凹面鏡として機能する。図２（ａ）に示すように、外装ケース１０１には、透明板１０２が取り付けられており、透明板１０２で示した領域が鏡面として機能する。また、外装ケース１０１には、開口１０３ａが形成されており、開口１０３ａに嵌りこんで、小孔１０４を備えるゴム玉１０３が保持されている。なお小孔１０４は、説明する実施形態では、背面には形成されていないので、図２中、表面に対応する位置に波線で示している。また、図２（ｂ）に示すようにゴム玉１０３は、外装ケース１０１の上下面からわずかに飛び出すようにして外装ケース１０１に保持されており、ユーザが、容易にゴム玉１０３を操作できるようにされている。
【００１８】
図３は、本実施形態の手鏡の外装ケース１０１内部の構成を説明するための切断線Ａ−ＡおよびＢ−Ｂの位置を示した図である。切断線Ａ−Ａに沿った断面図は、本実施形態において鏡面シートを湾曲させるための機能要素を説明するものである。また、切断線Ｂ−Ｂは、本実施形態のゴム玉１０３の構成を説明するものである。以下、断面図を使用して詳細に説明する。
【００１９】
図４は、図３の切断線Ａ−Ａに沿った手鏡の断面図を示す。図４に示すように、手鏡１００は、外装ケース１０１の間にゴム玉１０３と、鏡面シート１０５とが保持されている。外装ケース１０１と、Ｏ−リング１０６と、鏡面シート１０５とによって、外装ケース１０１の内部には、鏡面シート１０５を境として上下の空間１０７ａ、１０７ｂが形成されている。空間１０７ａは、鏡面シート１０５が湾曲する余裕を提供する空間である。また、空間１０７ｂは、小孔１０４を介して外部に連通していて、ユーザがゴム玉１０３を操作しないときには、空間１０７ａおよび１０７ｂの圧力が自動的にバランスできるように構成されている。
【００２０】
図４に示すように、ユーザが小孔を塞いでゴム玉１０３を矢線Ｂのように例えば親指および人差し指で挟んで潰したときには、ゴム玉１０３から空間１０７ｂに空気が送られて鏡面シート１０５を湾曲させる。一方、ユーザがゴム玉１０３の小孔１０４を開けたときにはゴム玉１０３の変形の回復に対応して外部から空気が取り込まれ、空間１０７ａ，１０７ｂの圧力が急速にバランスすることで、仮想線１０７ｃで示した位置まで鏡面シート１０５が戻り、平面鏡の機能を提供する。
【００２１】
また、本実施形態では、空間１０７ｂは、外部に対して気密や液密に形成されていないので、鏡面シート１０５を変形させるための余分な空気が小孔１０４から自動的に漏れ出す。この結果、鏡面シート１０５が空間１０７ａの許容する最大変形位置を超えて変形することによる破損を防止することができる。また、不要な空気が空間１０７ｂやゴム玉１０３から抜けてしまうので、ユーザは、確実に指の間でゴム玉１０３を潰して持つことができ、この結果、ゴム玉１０３が中くらいの位置でとどまって指の間でのグニャグニャ感を与えることなく、確実な保持が可能となる。さらに、鏡面シート１０５が仮想線１０７ｃの位置まで変形する際には、ゴム玉１０３の弾性回復力で迅速に空間１０７ａの圧力にバランスできるので、凹凸面鏡から平面鏡への回復が確実に、かつあっという間に達成できる。
【００２２】
図５は、図４の矩形枠１１０に相当する部分の拡大断面図を示す。この拡大図は、図４の切断線Ｂ−Ｂに沿った断面に相当する。図５に示すとおり、ゴム玉１０３は、中空に形成されており、中空部と外部とを連通する小孔１０４を備えている。ユーザが、ゴム玉１０３を、小孔１０４を塞ぎながら仮想線１０９の位置にまで弾性変形すると、中空部内の空気は一部が連通路１０８を介して空間１０７ｂに送られるが、余分な空気はユーザの指と小孔１０４との間のルーズな空間を介して外部に漏れ出す。このため、ユーザは、ゴム玉１０３を容易に仮想線１０９で示す位置まで変形させることができ、またゴム玉１０３の変形が元に戻る際に外部からの空気が急速に流入することにより、鏡面シート１０５の湾曲度合い、ゴム玉１０３の容積、空間１０７ｂ，１０７ａの容積を考慮することなく少ない部品点数で高速に凹凸面鏡から平面鏡へと変化させることができる。また、連通路１０８は、図５の上側の空間にも形成されていて、鏡面シートの変形の際に加えられる圧力を上側の空間から逃がすことができるようにされている。
【００２３】
図６は、本実施形態の手鏡の使用態様を説明する図である。図６（ａ）が鏡面シート１０５の変形前の態様であり、図６（ｂ）がゴム玉１０３を押して図６（ｂ）で鏡面シート１０５を凸面鏡として機能させる場合の実施形態である、図６（ｂ）に示すようにユーザが指でゴム玉１０３を潰すことにより、鏡面シート１０５は空間１０７ａが許容する範囲内で変形して凸面を形成する。一方、余分な空気は、小孔１０４（図６（ｂ）中では指に隠れて見えない。）と指の間を通じて容易に漏れ出すので、ユーザは、ゴム玉１０３が中途半端な変形で止まることによる不快感を受けることが無くまた安定して凸面・凹面を形成させることが可能となる。
【００２４】
さらに、同様の機能を有する手鏡と、本実施形態の手鏡の部品点数とを比較すると、本実施形態の手鏡は、一体成形する外装ケースを含めて、約６の部品点数で済むところ、鏡面シートを使用した従来品は、約３０の部品点数が必要であった。すなわち、本実施形態は、従来にまして部品点数が少ないにもかかわらず、安定した凸面鏡・凹面鏡および平面鏡を提供するものである。
【００２５】
なお本実施形態の他の実施態様では、ゴム玉１０３を同一面側に２個並んで配置し、一方側を、凸面鏡を形成する専用用途とし、他方を、凹面鏡を形成するための専用用途として、方の側に向いた側だけで凸面・凹面を形成させることができる。説明する本実施形態の場合、空間１０７ａ、空間１０７ｂにそれぞれのゴム玉が連通することになるが、この場合、空間１０７ａ、１０７ｂに連通する連通路内に逆止弁を設けておき、加圧・減圧がスムーズに行える構成とすることができる。当該実施例でも追加される部品は逆止弁のみであり、簡単な構成で、高機能な手鏡を提供することができる。また本実施形態では、透明板１０２は、外装ケース１０１の一面側にだけ配設することができる。
【００２６】
さらに他の形態では、ゴム玉を独立に空間１０７ａ、１０７ｂにそれぞれ連通させておき、交互にゴム玉を圧迫することで、同一の向きからみて凸面鏡または凹面鏡を形成させることもできる。この場合、ゴム玉１０３には小孔１０４がそれぞれ形成されているので、狭くなる側の空間から押し出される空気もスムーズに排出されるので、操作性もまったく変わることがない。
【００２７】
なお、本実施形態の手鏡は、化粧用などの他、凹面レンズや凸面レンズとしても使用することができ、例えばアウトドアにおける反射熱源などとしても用いることができる。
【符号の説明】
【００２８】
１００  手鏡
１０１  外装ケース
１０２  透明板
１０３  ゴム玉
１０３ａ  開口
１０４  小孔
１０５  鏡面シート
１０６  Ｏ−リング
１０７ａ  空間
１０７ｂ  空間
１０７ｃ  仮想線
１０８  連通路
１０９  仮想線
１１０  矩形枠
【図１】
2014004125.tif 000003
【図２】
2014004125.tif 000004
【図３】
2014004125.tif 000005
【図４】
2014004125.tif 000006
【図５】
2014004125.tif 000007
【図６】
2014004125.tif 000008